(57)【要約】【課題】簡易な手法により、受信感度がよく、広い表示面積の確保と装置全体の小型化とを両立させることのできる電子機器を提供する。【解決手段】回路基板６と液晶パネル５との積層方向と直交する方向に積層された板状部材７１ａからなるコア７１を備えたアンテナ構造体７を、回路基板６及び液晶パネル５の側端の外側位置に形成された直線部５ａ，６ａに沿って配置している。これにより、液晶パネル５の表示領域が広がり、広い表示面積の確保と装置全体の小型化とを両立させる。【選択図】図１１
2010273231.tif 000002
【特許請求の範囲】
【請求項１】
回路基板と、この回路基板に積層された液晶パネルと、アンテナ構造体とを備えた電子機器において、
前記アンテナ構造体は、
前記回路基板と前記液晶パネルとの積層方向と直交する方向に積層された複数の板状部材からなるコアと、
このコアに巻回されたコイルとを備え、
前記回路基板及び前記液晶パネルの側部一端に形成された直線部に沿って、前記アンテナ構造体が配置されていることを特徴とする電子機器。
【請求項２】
前記回路基板は円盤状に形成され、その側部一端に前記直線部を構成する切欠き部が設けられていることを特徴とする請求項１に記載の電子機器。
【請求項３】
前記アンテナ構造体は、リード部材を介して前記回路基板と接続されており、
前記リード部材は、前記アンテナ構造体を前記回路基板に対して保持する保持部材を兼ねていることを特徴とする請求項１又は請求項２に記載の電子機器。
【請求項４】
前記アンテナ構造体は、前記コアを保持するコアケースを備えていることを特徴とする請求項１から請求項３のいずれか一項に記載の電子機器。
【請求項５】
前記回路基板における前記液晶パネルとの積層方向の上部位置及び／又は下部位置に、前記回路基板及び前記液晶パネルを保持するモジュール部材が配置され、
前記モジュール部材の外周端には、前記アンテナ構造体を支持する支持部が設けられていることを特徴とする請求項１から請求項４のいずれか一項に記載の電子機器。
【発明の詳細な説明】
【技術分野】
【０００１】
本発明は、電子機器に関するものである。
【背景技術】
【０００２】
従来、時刻情報を含む標準電波を受信するアンテナ構造体を備え、自動的に現在時刻を修正する電波時計等の電子機器が知られている。そして、例えば電波時計において標準電波を受信するアンテナ構造体としては、受信感度のよい磁性材料であるアモルファス金属やフェライト等からなるコアにコイルが巻回されてなるアンテナ構造体を備えるものが多く用いられている。
【０００３】
アンテナ構造体は、コアの長さが長く電波受信面積が大きいほど受信感度が向上する。しかし、特に腕時計型の電波時計のような小型の電子機器に組み込む場合には、アンテナ構造体の収納スペースに限界があるため、小型のアンテナ構造体を用いる必要がある。
【０００４】
そこで、アンテナ構造体を小型化した場合でも受信感度を向上させる構成として、アモルファス薄膜等の板状部材を複数積層してコアを形成する構成が提案されている（例えば、特許文献１参照）。
【先行技術文献】
【特許文献】
【０００５】
【特許文献１】特開２００８−１４１３８９号公報
【発明の概要】
【発明が解決しようとする課題】
【０００６】
しかしながら、特許文献１に記載されている技術では、コアを構成している複数の板状部材を、回路基板および時計モジュール部材の厚み方向に積み重ねた構成となっている。このため、アンテナ構造体を回路基板の側端の外側に形成された直線部に沿って配置した場合（特許文献１の図９、図１０参照）、各板状部材の水平方向の板幅分、余計に広いスペースを必要としていた。この結果、例えば時計ケース等、小型の電子機器の本体ケースの限られた空間内にアンテナ構造体を効率よく配置することができず、アンテナ構造体を収納するための広いスペースを確保しなければならない。
【０００７】
この点、例えば腕時計等の電子機器が表示手段として液晶パネルを備える場合には、その視認性を向上させるとともに、時刻、日付、曜日等の様々な情報を表示させることができるように、液晶パネルの表示面積をできるだけ大きくすることが好ましい。
しかし、アンテナ構造体を収納するために広いスペースを必要とすると、その分液晶パネルの大きさを小さくするか、時計ケース自体を大きくする必要があり、表示面積の拡大と電子機器の小型化とを両立させることが困難であるという問題がある。
【０００８】
そこで、本発明は以上のような事情に鑑みてなされたものであり、簡易な手法により、受信感度がよく、広い表示面積の確保と装置全体の小型化とを両立させることのできる電子機器を提供することを目的とするものである。
【課題を解決するための手段】
【０００９】
前記課題を解決するために、請求項１に記載の電子機器は、
回路基板と、この回路基板に積層された液晶パネルと、アンテナ構造体とを備えた電子機器において、
前記アンテナ構造体は、
前記回路基板と前記液晶パネルとの積層方向と直交する方向に積層された複数の板状部材からなるコアと、
このコアに巻回されたコイルとを備え、
前記回路基板及び前記液晶パネルの側部一端に形成された直線部に沿って、前記アンテナ構造体が配置されていることを特徴としている。
【００１０】
また、請求項２に記載の発明は、請求項１に記載の電子機器において、
前記回路基板は円盤状に形成され、その側部一端に前記直線部を構成する切欠き部が設けられていることを特徴とする請求項１ことを特徴としている。
【００１１】
また、請求項３に記載の発明は、請求項１又は請求項２に記載の電子機器において、
前記アンテナ構造体は、リード部材を介して前記回路基板と接続されており、
前記リード部材は、前記アンテナ構造体を前記回路基板に対して保持する保持部材を兼ねていることを特徴としている。
【００１２】
また、請求項４に記載の発明は、請求項１から請求項３のいずれか一項に記載の電子機器において、
前記アンテナ構造体は、前記コアを保持するコアケースを備えていることを特徴としている。
また、請求項５に記載の発明は、請求項１から請求項４のいずれか一項に記載の電子機器において、
前記回路基板における前記液晶パネルとの積層方向の上部位置及び／又は下部位置に、前記回路基板及び前記液晶パネルを保持するモジュール部材が配置され、
前記モジュール部材の外周端には、前記アンテナ構造体を支持する支持部が設けられていることを特徴としている。
【発明の効果】
【００１３】
この発明によれば、コアを構成する複数の板状部材が、回路基板と液晶パネルとの積層方向と直交する方向に積層されているため、コア及びコイルを備えたアンテナ構造体を限られた空間内にコンパクトに収納することができる。このため、電子機器を大型化することなく、広い表示面積を確保することができるとの効果を奏する。
【図面の簡単な説明】
【００１４】
【図１】本発明に係る電子機器の一例である電波腕時計の概略構成を示す正面図である。
【図２】図１に示す電波腕時計のII―II線断面図である。
【図３】図１に示す電波腕時計の内部構成を示す分解斜視図である。
【図４】図３に示す電波腕時計に設けられるアンテナ構造体の構成を示す分解斜視図である。
【図５】図４に示すアンテナ構造体を電波腕時計に組み込まれた際の下側から見た底面図である。
【図６】図４に示すアンテナ構造体を電波腕時計に組み込まれた際の上側から見た上面図である。
【図７】図５における矢視VII―VII線断面図である。
【図８】回路基板にアンテナ構造体を取り付けた状態を電波腕時計に組み込まれた際の下側から見た平面図である。
【図９】回路基板にアンテナ構造体を取り付けた状態を電波腕時計に組み込まれた際の上側から見た平面図である。
【図１０】アンテナ構造体及び回路基板をモジュール部材に組み込んだ状態を示す平面図である。
【図１１】アンテナ構造体と回路基板と液晶パネルとの位置関係を示す平面図である。
【発明を実施するための形態】
【００１５】
以下、図面を参照しつつ、本発明に係る電子機器の好適な実施形態について具体的に説明する。なお、本発明の範囲は図示例に限定されない。
【００１６】
図１から図１１を参照しつつ、本発明に係る電子機器の一実施形態を説明する。なお、本実施形態では、電子機器がアンテナ構造体を搭載した電波腕時計である場合を例として説明する。
【００１７】
図１は、本実施形態における電波腕時計を示す正面図である。また、図２は、図１のII−II線断面図であり、図３は、図１の電波腕時計の内部構成を示す分解斜視図である。
【００１８】
図３に示すように、電波腕時計１００には、短柱形状に形成された本体ケース（以下「時計ケース１」という。）が設けられている。時計ケース１は、ステンレスやチタン等の金属その他の導電性部材で形成されている。
時計ケース１の内側は上下が開口した中空状になっており、この中空部分が各種部品を収納する収納空間を与える収納部となる。
【００１９】
この時計ケース１の図１における上下両端部には、バンド取付部１２が形成されており、各バンド取付部１２には図示しない時計バンドが取り付けられるようになっている。
また、時計ケース１の外周部には、時刻合わせの指示などの種々の操作指示が入力される複数の操作ボタン１３が設けられている。
また、図２、図３に示すように、時計ケース１の内側には、時計ケース１内部の部材ががたつくのを抑えるとともに外部からの衝撃を吸収するために、内周壁に沿って、中枠部材１６が設けられている。
【００２０】
図２に示すように、この時計ケース１の視認側（表面側：図２における上側）には、視認側の開口部を閉塞するように非導電性の透明材料であるガラスで形成された透明部材としての時計ガラス部材３が防水リング１４を介して装着されている。
時計ガラス部材３の下方には、後述する液晶パネル５による表示に対応した枠部を有する文字板１８が設けられている。
また、時計ガラス部材３と文字板１８との間には、薄膜状のソーラーセル１７が配置されている。
【００２１】
また、時計ケース１の視認側とは反対側（裏面側：図２における下側）には、図２に示すように、当該時計ケース１の下側の開口部を閉塞する閉塞部材としての裏蓋部材２が防水リング１５を介して取り付けられている。裏蓋部材２は、例えばステンレスやチタン等の金属その他の導電性部材で形成されている。
【００２２】
また、この時計ケース１の内部には、各種電子部品６３を搭載する回路基板６と、回路基板の上側（視認側）に積層される液晶パネル５と、回路基板６に電気的に接続されたアンテナ構造体７とが設けられている。
液晶パネル５、回路基板６及びアンテナ構造体７は、モジュールケース内に収納・保持されて時計ケース１の内部に配置されている。このモジュールケース（モジュール部材）は、例えば樹脂等の非金属材料で形成されており、第１モジュール部材４１と第２モジュール部材４２とによって構成されている。
【００２３】
第１モジュール部材４１は、時計ケース１の視認側に位置する枠状の部材であり、液晶パネル５が嵌め込まれる開口部４１ａ（図３参照）が形成されている。液晶パネル５は、回路基板６の上に積層された状態でこの開口部４１ａに嵌め込まれ、表示領域（図１１に示す表示領域５０）が文字板１８の側に露出するようになっている。
第２モジュール部材４２は、時計ケース１の裏面側に位置する皿状の部材であり、図示しないバッテリの収納部等を備えている。
【００２４】
第１モジュール部材４１と第２モジュール部材４２とは互いに嵌り合う構造となっており、一体としてモジュールケースを形成するようになっている。
また、第１モジュール部材４１及び第２モジュール部材４２には、モジュールケースを時計ケース１内に収納した際に図１における上側となる外周端に、アンテナ構造体７を支持するアンテナ支持部４１１，４２２（図１０、図１１参照）がそれぞれ設けられている。
【００２５】
第１モジュール部材４１と第２モジュール部材４２とにより構成されるモジュールケースの内部には、液晶パネル５と回路基板６とが積層されて配置されており、液晶パネル５及び回路基板６は、第１モジュール部材４１と第２モジュール部材４２とによって、上部と下部から挟み込まれて保持されるようになっている。
【００２６】
第１モジュール部材４１及び第２モジュール部材４２は、間に液晶パネル５及び回路基板６を挟み込んだ状態で、回路押え部材８によって固定され、さらに、モジュール押え部材９（図２参照）によって電波腕時計１００の裏面側から支持されて、時計ケース１内に固定されている。
なお、回路押え部材８及びモジュール押え部材９は必須の構成要素ではなく、例えば、回路押え部材８及びモジュール押え部材９を設けずに、係止手段等で一体化されたモジュールケースを裏蓋部材５によって支持するようにしてもよい。
【００２７】
液晶パネル５は、例えば２枚のガラス板の間に液晶状態の物質を封入してなる液晶基板５１と、この液晶基板５１を図２における上下方向から挟むように設けられた一対の偏光板５２と、液晶基板５１及び偏光板５２の下方に配置されたバックライト５３とを備えている。バックライト５３は、例えばＥＬ（electro-luminescence）素子等を備えて構成されている。なお、液晶パネル５の構成、形状等は特に限定されない。
液晶パネル５の側部一端であって、液晶パネル５をモジュールケース内に収納した際に前記アンテナ支持部４１１，４２２に対向する辺部は、直線部５ａ（図３参照）となっている。
【００２８】
本実施形態において、回路基板６は、図３、図４等に示すように、ほぼ円盤状に形成されている。回路基板６の側部一端であって、回路基板６をモジュールケース内に収納した際に前記アンテナ支持部４１１，４２２に対応する部分には、切欠き部である直線部６ａ（図３参照）が形成されている。
【００２９】
アンテナ構造体７は、液晶パネル５の直線部５ａ及び回路基板６の直線部６ａの各側端の外側位置に、当該直線部５ａ，６ａに沿って配置されている（図１１参照）。
このように液晶パネル５及び回路基板６の各直線部５ａ，６ａに沿って、液晶パネル５及び回路基板６の積層方向と直交する方向に積層された複数の板状部材７１ａからなるコア７１を備えたアンテナ構造体７を配置することにより、液晶パネル５及び回路基板６の水平面方向のスペースの無駄をなくしてアンテナ構造体７をコンパクトに収納することができる。
【００３０】
回路基板６における裏面側の面であって前記直線部６ａの近傍の一端側には、アンテナ構造体７のリード部材７７を係止するための一対の係止用端子６１が設けられている。
また、回路基板６における視認側の面であって前記直線部６ａの近傍には、直線部６ａに沿って複数の液晶パネル用端子６２が設けられている。
また、回路基板６には、例えば、電波腕時計１００の各部を制御するＣＰＵ等の制御ＩＣ、アンテナ構造体７によって検出された電気信号を増幅・復調して標準電波に含まれる時刻データを取り出す受信回路、発振器を有して現在時刻を計時する計時回路等（いずれも図示せず）の各種電子部品６３が搭載されている。
【００３１】
ここで、図４から図７を参照しつつ、本実施形態におけるアンテナ構造体７について、具体的に説明する。
図４は、アンテナ構造体７の分解斜視図である。また、図５は、アンテナ構造体７を電波腕時計１００に組み込んだ際に下側（裏蓋部材２の設けられている側）となる方向から見た底面図であり、図６は、アンテナ構造体７を電波腕時計１００に組み込んだ際に上側（文字板１８の設けられている側）となる方向から見た上面図であり、図７は、アンテナ構造体７の図５に示すVII−VII線断面図である。
【００３２】
図４に示すように、本実施形態におけるアンテナ構造体７は、長尺なコア７１とこれに巻回されたコイル７２とを備えており、コア７１に電波が透過すると、コイル７２に誘起電流が発生するように構成されている。
【００３３】
コア７１は、回路基板６と液晶パネル５との積層方向と直交する方向に積層された複数の板状部材７１ａから形成されている。コア７１を構成する板状部材７１ａの数等は特に限定されない。なお、複数の板状部材７１ａは、積層状態を維持できるように接着剤等により互いに固定されていることが好ましい。
【００３４】
各板状部材７１ａは、アモルファス合金等の透磁率（magnetic permeability）（磁場または磁界の強さ H と磁束密度 B との間の関係を B = μ H で表わした時の比例定数 μをいう）または比透磁率（真空の透磁率 μ0 との比 μs=μ/μ0 をいう）が高い磁性材料により形成されている。
なお、コア７１を形成する材料は、アモルファス合金に限定されず、薄い板状に形成可能な磁性材料であれば適用可能である。
【００３５】
図４に示すように、コア７１の中央部は、直線状に形成され、コイル７２を巻回する巻線部となっている。また、コイル７２の両端から突出したコア７１の両端部は、第１モジュール部材４１及び第２モジュール部材４２の外周面に沿う形状に曲折している。
【００３６】
本実施形態において、アンテナ構造体７は、コア７１を保持するコアケース７３（図３参照）を備えている。
図４に示すように、コアケース７３は、コア７１の両端部を被覆する一対の第１ケース部材７４ａ，７４ｂと、コイル７２の巻回された巻線部を被覆する第２ケース部材７５とを備えており、樹脂等により形成されている。
【００３７】
第１ケース部材７４ａ，７４ｂは、例えば樹脂等によりランナー（図示せず）で互いに接続された状態で一体成型されることが好ましい。この場合、ランナーは第１ケース部材７４ａ，７４ｂをコア７１に被せた後に切断される。
【００３８】
第１ケース部材７４ａ，７４ｂには、アンテナ構造体７を時計ケース１内に収納した際に裏面側となる面に、一対のリード部材７７が載置されるようになっており、リード部材７７を載置するためのリード受け凹部７４３とリード部材７７の係止用孔部７７１と係合する係止用凸部７４１とが設けられている。
また、第１ケース部材７４ａ，７４ｂは、アンテナ構造体７を時計ケース１内に収納した際に視認側となる側に、コア７１が挿入されるコア挿入溝部７４２（図６参照）が形成されている。
さらに、第１ケース部材７４ａ，７４ｂにおけるコイル７２に対向する面には第２ケース部材７５と係合する係合部７４４が設けられている。
【００３９】
なお、図５に示すように、本実施形態では、第１ケース部材７４ａの側にリード部材７７を載置する例を示しているが、回路基板６のパターン構成等によっては、第１ケース部材７４ｂの側にリード部材７７を載置してもよい。
また、本実施形態においては、一対の第１ケース部材７４ａ，７４ｂの両方にリード受け凹部７４３及び係止用凸部７４１を形成し、回路基板６のパターン構成等に応じていずれの側にもリード部材７７を接続することのできる構成としたが、リード受け凹部７４３及び係止用凸部７４１は、一対の第１ケース部材７４ａ，７４ｂのうちのいずれか一方のみに設けられていてもよい。
【００４０】
第１ケース部材７４ａに搭載される一対のリード部材７７は、リード受け凹部７４３に嵌め込まれ、係止用孔部７７１を係止用凸部７４１と係合させることによって第１ケース部材７４ａ上に固定される。なお、リード部材７７は、さらに接着剤等により固定されていてもよい。
【００４１】
リード部材７７は、それぞれ一端側にコイル７２の端部が接続される巻線接続部７７２を備えており、リード部材７７の他端側は回路基板６上のアンテナ用端子６１に半田付け等により接続されるようになっている。
これにより、コイル７２の端部がリード部材７７の巻線接続部７７２に接続されると、このリード部材７７を介してアンテナ構造体７が回路基板６上に設けられたアンテナ用端子６１（図８参照）と電気的に接続され、アンテナ構造体７により得られた信号が回路基板６上の受信回路に送られる。
【００４２】
図８は、回路基板６にアンテナ構造体７が接続された状態を回路基板６の裏面側（すなわち、アンテナ構造体７を時計ケース１内に収納した際の裏蓋部材２の側）から見た図であり、図９は、回路基板６にアンテナ構造体７が接続された状態を回路基板６の表面側（すなわち、アンテナ構造体７を時計ケース１内に収納した際の視認側）から見た図である。
図８に示すように、本実施形態においては、アンテナ構造体７は、リード部材７７によって回路基板６に固定されており、リード部材７７はアンテナ構造体７を回路基板６に保持する保持部材を兼ねている。
【００４３】
第２ケース部材７５は、コイル７２の巻回された巻線部とほぼ同じ長さを有するコ字状の部材であり、底面部に長手方向に延在する底面側開口部７５１を有している。底面部の幅寸法は巻線部の厚みよりも僅かに大きく形成されており、底面部から立設された一対の側壁部７５２の間に巻線部を挟み込むようにして、第１ケース部材７４ａ，７４ｂとは反対の側（すなわち、アンテナ構造体７を時計ケース１内に収納した際の視認側）から巻線部を被覆するようになっている。第２ケース部材７５の両側面は側面側開口部７５３となっており、この側面側開口部７５３に第１ケース部材７４ａ，７４ｂの係合部７４４がそれぞれ係合するようになっている。
【００４４】
次に、本実施形態に係る電波腕時計１００の作用について説明する。
まず、電波腕時計１００を形成する場合には、複数の板状部材７１ａを積層し、接着剤等で固定するとともに、端部を曲折してコア７１を形成する。そして、ランナーで互いに接続された状態の第１ケース部材７４ａ，７４ｂを、このコア７１の両端部にそれぞれ被せてから、第１ケース部材７４ａ，７４ｂのランナーを切断する。このように、第１ケース部材７４ａ，７４ｂをコア７１に装着してからランナーを切り離すことにより、位置決めがしやすく便宜である。
【００４５】
次に、コア７１の中央部に巻き線を施し、コイル７２を形成する。なお、巻回されたコイル７２を固定するために接着剤を含浸させる等の処理を施してもよい。
第１ケース部材７４ａにリード部材７７を取り付け、コイル７２の巻き始め及び巻き終わりの端部を、一対のリード部材７７の巻線接続部７７２にそれぞれ接続する。
さらに、第１ケース部材７４ａ，７４ｂの装着方向とは反対側から第２ケース部材７５をコイル７２の巻回部分に装着する。このとき、第１ケース部材７４ａ，７４ｂの係合部７４４が第２ケース部材７５の側面側開口部７５３にそれぞれ係合する。これにより、第１ケース部材７４ａ，７４ｂと第２ケース部材７５とが一体化してコアケース７３を備えるアンテナ構造体７が完成する。
【００４６】
次に、アンテナ構造体７を液晶パネル５及び回路基板６の直線部５ａ，６ａに沿って配置する。そして、リード部材７７を回路基板６のアンテナ用端子６１に半田付け等により電気的に接続する。そして、アンテナ構造体７の接続された回路基板６に液晶パネル５を積層し、第１モジュール部材４１と第２モジュール部材４２との間に挟みこんで、第１モジュール部材４１と第２モジュール部材４２とを係合させるとともに、回路押え部材８により固定し、一体化させる。
【００４７】
図１０は、このようにして一体化させたモジュールケースの一端を切欠いて、アンテナ構造体７のモジュールケース内での位置を示したものであり、図１１は、アンテナ構造体７と回路基板６と液晶パネル５との位置関係を模式的に示した図である。
図１０及び図１１に示すように、アンテナ構造体７は、第１モジュール部材４１及び第２モジュール部材４２のアンテナ支持部４１１，４２２によって支持され、モジュールケース内においてがたつかないようになっている。
【００４８】
ここで、本実施形態の構成によった場合と従来の電波腕時計との差異について説明する。
従来のアンテナ構造体では、コアを構成する複数の板状部材が回路基板、時計モジュール部材または液晶パネルの積層方向と同じ方向に積層されているため、アンテナ構造体９０を収納するために、各板状部材の水平方向の板幅分、広いスペースが必要となっていたため、液晶パネルの表示領域は、水平方向のスペースが限られてしまう。
【００４９】
これに対して、本実施形態の構成では、液晶パネル５及び回路基板６の各直線部５ａ，６ａに沿って、液晶パネル５及び回路基板６の積層方向と直交する方向に積層された複数の板状部材７１ａからなるコア７１を備えたアンテナ構造体７を配置したので、液晶パネル５及び回路基板６の水平面方向のスペースの無駄をなくしてアンテナ構造体７をコンパクトに収納することができる。このため、液晶パネル５の表示領域５０は、図１１において実線で示した範囲となり、従来のものと比較して、斜線で示した範囲（図１１における領域α）だけ広くすることが可能となる。
【００５０】
回路基板６、液晶パネル５及びアンテナ構造体７をモジュールケースに収納すると、このモジュールケースを時計ケース１の中に収納し、裏面側からモジュール押え部材９で固定する。さらに、裏蓋部材２を時計ケース１の裏面側の開口部に嵌め込んで裏面側の開口部を閉塞する。これにより電波腕時計１００が完成する。
【００５１】
電波腕時計１００による標準電波受信時においては、電波の磁界成分が、電波を遮蔽しない材料によって形成された非導電性の部材である時計ガラス部材３、文字板１８等を透過して、アンテナ構造体７のコア７１に進入する。そして、コア７１の一方側からアンテナ構造体７に進入した磁束は、コア７１の他方側の端部へと通過する。この通過の際に、コア７１に巻回されたコイル７２に交流電流が誘導され（誘起電流）、これに伴ってコイル７２の両端に交流電圧が発生する。そして、この交流電圧がアナログ受信信号として図示しない受信回路に送られる。
そして、受信回路により、このアナログ受信信号について増幅、復調、デコード等の処理が行われ、デジタルの時刻データが取得される。電波腕時計１００は、取得された時刻データに基づいて、適宜現在時刻の修正を行う。
【００５２】
以上のように、本実施形態によれば、アンテナ構造体７のコア７１が、複数の板状部材７１ａを回路基板６と液晶パネル５との積層方向と直交する方向に重なるように積層して構成されており、この長尺なコア７１の中央部に、当該コア７１の長手方向と直交する方向にコイル７２を巻きつけた構成としているので、限られた空間内にコア７１等をコンパクトに装着することができる。
また、回路基板６とこれに積層された液晶パネル５の側部一端に直線部５ａ，６ａを形成して、アンテナ構造体７をこの直線部５ａ，６ａに一端側を接するように配置している。このため、回路基板６及び液晶パネル５とアンテナ構造体７とがモジュールケースからはみ出さずに横に並べて配置することができる。このため、液晶パネル５の表示領域５０を従来よりも広くすることができ、視認性の向上、及び各種の機能表示等、多様な表示に対応することができる。
【００５３】
また、複数の板状部材７１ａを積層した長尺なコア７１を備えているため、効率よく磁束を集めることが可能となり、受信感度が良好で、かつ小型の電波腕時計１００を実現することができる。
【００５４】
また、このような複数の板状部材７１ａを積層したコア７１を用いた場合でも、コア７１を保持するコアケース７３を備えているため、コア７１の端部が破損したり、回路基板６上の電子部品６３等と接触してショートしたりする等のおそれを回避することができる。
【００５５】
また、アンテナ構造体７は、リード部材７７のみで回路基板６と接続されており、このリード部材７がアンテナ構造体７を回路基板６に保持する保持部材を兼ねているため、別途アンテナ構造体７を固定するための部材を設ける必要がない。このため、部品点数を少なくして、コストを削減することができるとともに、組み立て工数を少なくして簡易に組み立てを行うことが可能となる。
【００５６】
また、第１モジュール部材４１と第２モジュール部材４２の外周端に、アンテナ構造体７を支持するアンテナ支持部４１１，４２２を設けて、このアンテナ支持部４１１，４２２でアンテナ構造体７を支えているので、アンテナ構造体７がリード部材７７のみで回路基板６と接続されているような場合でも、アンテナ構造体７のがたつきを抑え、安定させることができる。
【００５７】
なお、本発明が上記各本実施形態に限らず適宜変更可能であるのは勿論である。
【００５８】
例えば、本実施形態では、アンテナ構造体７を第１ケース部材７４ａに設けられたリード部材７７が保持部材を兼ねるようにし、このリード部材７７のみでアンテナ構造体７を回路基板６に保持させるようにしたが、アンテナ構造体７を回路基板６に保持させる構成はこれに限定されない。
例えば、第１ケース部材７４ｂ側にもリード部材と同様の形状の部材を保持部材として設けて、これを回路基板６上に固定することにより、２箇所でアンテナ構造体７を保持する構成としてもよい。この場合、第１ケース部材７４ｂ側に設けられる保持部材と回路基板６との間には電気的な接触が生じないようにする。なお、この場合、接続端子として利用しない方の保持部材をグランドとして利用するように構成してもよい。
【００５９】
また、本実施形態では、コアケース７３が、第１ケース部材７４ａ，７４ｂ、第２ケース部材７５から構成されている例を説明したが、コアケース７３の構成はこれに限定されない。例えば、コアケース７３が、コア７１の端部を被覆する第１ケース部材７４ａ，７４ｂのみで構成されていてもよい。
【００６０】
また、本実施形態においては、モジュールケース（モジュール部材）を第１モジュール部材４１及び第２モジュール部材４２から構成されるものとしたが、モジュール部材の構成はこれに限定されない。例えば、回路基板６及び液晶パネル５を裏面側（裏蓋部材２の側）から保持する部材のみから構成されていてもよい。
また、第１モジュール部材４１及び第２モジュール部材４２のいずれにもアンテナ支持部４１１，４２２が設けられている構成としたが、アンテナ支持部４１１，４２２がいずれか一方のみに設けられている構成としてもよい。
【００６１】
また、本実施形態においては、複数の板状部材７１ａを積層してから、その両端部を第１モジュール部材４１及び第２モジュール部材４２の外周の形状に沿う形状に曲折することにより、アンテナ構造体７のコア７１を構成したが、コア７１の構成はここに例示したものに限定されない。例えば、予め曲折させた板状部材を複数枚積層してコアを形成してもよい。
【００６２】
また、本実施形態では、時計ケース１が円形に形成されている場合を例としたが、時計ケース１の形状はこれに限定されず、例えば四角形や多角形等でもよい。時計ケース１内部の収納スペースをできるだけ広く確保できるように、アンテナ構造体７もこれらの形状に沿う形状とすることが好ましい。
【００６３】
また、本実施形態では、回路基板６がほぼ円盤形状である場合を例として説明したが、回路基板６の形状は、本実施形態に示したものに限定されない。回路基板６の形状が四角形状等である場合には、そのいずれかの側部一端を直線部として用いればよく、切欠き部を設ける必要がない。
また、液晶パネル５の形状や文字板１８のレイアウト等は、図示例に限定されない。
また、ソーラーセル１７は、必須の構成要素ではなく、これを備えない構成としてもよい。
【００６４】
また、第１モジュール部材４１と第２モジュール部材４２等を形成する合成樹脂としては、例えば、エポキシ樹脂、ABS樹脂等を用いても良く、これらの中でも耐熱性、寸法安定性、強度等の点からフェノール樹脂、エポキシ樹脂等が好ましい。
【００６５】
また、本実施形態では、アンテナ構造体を適用する電子機器が電波腕時計である場合を例として示したが、アンテナ構造体を適用可能な電子機器はこれに限られるものではなく、アンテナ構造体により電波を受信する構成のものであれば如何なるものであってもよい。例えば、固定式の電波時計や、小型ラジオ、携帯端末等にアンテナ構造体を適用してもよい。
【００６６】
その他、本発明が上記実施の形態に限定されないことは勿論である。
【符号の説明】
【００６７】
１      時計ケース（本体ケース）
３      時計ガラス部材
５      液晶パネル
５ａ    直線部
６      回路基板
６ａ    直線部
７      アンテナ構造体
１８    文字板
４１    第１モジュール部材
４２    第２モジュール部材
６２    アンテナ装着部
６３    磁性部材装着部
６５    磁性部材
６６    集磁部材装着部
６７    集磁部材
７１    コア
７２    コイル
７３    コアケース
７４ａ，ｂ    第１ケース部材
７５    第２ケース部材
７７    リード部材
１００  電波腕時計（電子機器）
【図１】
2010273231.tif 000003
【図２】
2010273231.tif 000004
【図３】
2010273231.tif 000005
【図４】
2010273231.tif 000006
【図５】
2010273231.tif 000007
【図６】
2010273231.tif 000008
【図７】
2010273231.tif 000009
【図８】
2010273231.tif 000010
【図９】
2010273231.tif 000011
【図１０】
2010273231.tif 000012
【図１１】
2010273231.tif 000013